(57)【要約】      （修正有）【課題】近年はシリンダーのピッキングによる不正解錠が増え、ピッキング技術も高度化している。それに加えて建物の大型化や集中管理の大規模化によってキーシステムプランが大規模化し、シリンダーに巨大な鍵違い数が要求されるようになった。現状ではシリンダーの構造を複雑にしてそれに対応しているものが多い。将来のより難しい要求に応じられるシリンダーを開発する事が課題である。【解決手段】回転するタンブラーを使うシリンダーで、シリンダーのタンブラー回転軸をシリンダー軸に設ける事で、タンブラーの回転可能角度を無制限とし、さらにタンブラーの左右方向への両方向回転を可能にする事で、従来の回転式タンブラーを持つシリンダーの、タンブラーが少しだけの回転可能角度と片一方回転であるのに比べて、ピッキングが難しく、大きな鍵違い数を確保でき、将来シリンダーに求められるであろう難しい要求にも答え易いシリンダー構造を実現した。【選択図】図１
2006316439.tif 000002
【特許請求の範囲】
【請求項１】
外筒（１）と内筒（２）と外筒内に輪切り状に収納した複数のタンブラー（１８）から成るシリンダーで、合鍵を差し込むとタンブラーが合鍵の回転軸であるシリンダー軸（２５）を回転軸として回転運動し、タンブラーの回転の角度で合鍵か合わない鍵かを識別し、合鍵の時は内筒（２）の回転が可能となる、タンブラー（１８）がシリンダー軸（２５）を中心に回転運動する事が特徴のシリンダー構造。
【請求項２】
鍵を抜き差しする動作で、鍵にうねるように設けた溝（７）や山（２６）とタンブラーに設けた山（２１）や溝（２７）が噛み合い、タンブラー（１８）にシリンダー軸（２５）を中心とした回転トルクを掛け、タンブラーを回転させる請求項１記載のシリンダー構造。
【請求項３】
タンブラー（１８）に回転軸軸芯を持たず、差し込んだ鍵の鍵軸（６）がタンブラーの回転軸軸芯となる請求項１、２記載のシリンダー構造。
【請求項４】
タンブラー（１８）に回転軸軸芯（２８）を持ち、タンブラー（１８）は回転軸軸芯と分離して回転軸軸芯の周囲を回転運動するシリンダーで、鍵軸（６）を回転軸軸芯内に抜き差しする請求項１、２記載のシリンダー構造。
【請求項５】
鍵をシリンダーに抜き差しした時に、１枚のタンブラー（１８）が右回転と左回転の両方の回転が可能な請求項１、２、３、４記載のシリンダー構造。
【請求項６】
シリンダーの外筒（１）に対して内筒（２）の回転を止めるロッキングバー（１０）を有し、タンブラーに設けたロッキングバー受け溝（２２）の位置が、ロッキングバーの位置に合った時に内筒の回転が可能となる請求項１、２、３、４、５記載のシリンダー構造。
【請求項７】
タンブラーのロッキングバー受け溝（３４）部分をタンブラー（１８）から分離してアジャスター（３２）とする。タンブラーとアジャスターをギア（３１）（３３）で連結する。
内筒（２）のロッキングバー周囲を内筒から分離してロッキングバーガイド（３０）とし、ロッキングバーガイドを内筒に対して移動可能に組み合わせる。
内筒（２）が１８０度回転した状態で、ロッキングバーガイド（３０）が位置する外筒内周部分にロッキングバーガイドが入る可変溝（２９）を設ける。
以上の構造を持つシリンダーで、合鍵を１８０度回して合鍵を抜き、次に新鍵をシリンダーに差し、１８０度回して定位置に戻すと抜いた合鍵が使えなくなり、新しく差した新鍵が合鍵となる可変機構を設けた請求項１、２、３、４、５、６記載のシリンダー構造。
【発明の詳細な説明】
【技術分野】
【０００１】
錠の鎖錠機構である合鍵と合わない鍵とを識別するシリンダー機構と構造に関する。
【背景技術】
【０００２】
鍵に関する犯罪の増加や、建物の管理に関する錠機能への要求が増大している。
その為の現状の対策を説明する。
図１７Ａで示したシリンダーが古くから有ったピンシリンダーである。このシリンダーをピッキング対策や鍵違い数を増やす為に出現したのが図１７Ｂに示したシリンダーである。図１７Ｂのシリンダーは複雑が故の生産性や他の問題がある。
【０００３】
図１７Ｃで示したシリンダーが同様に古くから有ったディスクシリンダーである。このシリンダーはピッキングに弱い欠点がある。その為に２０年程前に開発されたロータリーディスクシリンダーが図１７Ｄで示したものである。このシリンダーは生産性が良く、トラブルも少ない。
このロータリーディスクシリンダーの対ピッキング性は非常に高い事が実証されている。
【０００４】
他のシリンダー構造としては電子キーと言われるマグネットをピンに使ったピンシリンダーがある。
シリンダー以外の鎖錠機構としては、棒カギ錠であるレバータンブラー錠やテンキーロックがある。
シリンダー構造を持つ鎖錠機構は、それほど種類は多くない。
【０００５】
近年シリンダーのキーコードを変える事ができるシリンダーが数種類出現している。
この可変型の錠の発端は２０年程前に出現したＨＯＲＩ商店のバリタンブラーである。
バリタンブラーはレバータンブラーに近い機構で、シリンダーではない。
近年では図１７Ａで示したピンシリンダーを可変型にしたオムロン社製のオムロックや、図１７Ｃで示したディスクシリンダーを可変型にした特許第３３７８６４５号がある。
また、図１７Ｄで示したロータリーディスクシリンダーを可変型にした特開平７−２０７９９５がある。
【特許文献１】特許第３３７８６４５号
【特許文献２】特開平７−２０７９９５
【発明の開示】
【発明が解決しようとする課題】
【０００６】
近年は錠に関するピッキング対策や錠違い数の増大が要求されている。
その中で将来ますます要求が大きくなると思われるシリンダー構造の鎖錠機構について、将来の要求に答えられるシリンダー構造を実現する事が課題である。
条件は次の通りである。
ピッキング等の、鎖錠機構に関する不正解錠がよりしにくい事。
鍵違い数がより多く確保できる事。
鍵の操作性が良く、使い易い事。
生産性が良く、安価に提供できる事。
将来のシリンダーに関する要求に対して対応のし易いシリンダーである事。
以上である。
【課題を解決するための手段】
【０００７】
ピッキングがし難く、鍵の操作性が良く、生産性の良いシリンダーとして、従来のシリンダーで考えられるのは図１７Ｄで示したロータリーディスクシリンダーである。
このシリンダーのピッキングが難しい理由はロッキングバーを使った構造にある。
その為に、ロッキングバーを使ったこれまでに無い新しい構造のシリンダーを開発する事にした。
【０００８】
図１７Ｄで示した従来のロータリーディスクシリンダーでは、１枚のタンブラーの回転は一方向回転である。
このタンブラーを右と左の両方向回転とすれば、よりピッキングが難しくなると考えた。
しかし、合鍵を差し込んだ時にタンブラーを右と左のどちらにも動かすには、図１７Ｄのようにタンブラー回転軸軸芯が合鍵の回転軸であるシリンダー軸から離れていると難しい。
そこで、タンブラーの回転軸をシリンダー軸にして考えてみた。それが図１６で示した請求項１記載のシリンダー構造である。この思想は請求項１、２、３、４、５、６、７のすべてに共通するものである。図１６で示した構造が最初に考えた構造である。
【０００９】
請求項１記載のシリンダー構造を図１６に基づいて説明する。
タンブラー（１８）を回転式として、タンブラーの回転軸軸芯（２８）を内筒の回転軸であるシリンダー軸（２５）に設ける。
タンブラーの回転軸軸芯をシリンダー軸に設けた事で、タンブラーは３６０度の回転が可能となり、その中の一定の回転の範囲を利用して鍵差込み穴（３）やタンブラーバネ（２３）やロッキングバー（１０）を設ける事ができる。
【００１０】
１枚のタンブラーの回転も左右両方への回転とする事で、ロッキングバー受け溝（２２）側に回転した時のみ解錠が可能で、逆方向へ回転した時は解錠する事ができない。すなわち従来の片方向のみに回転するタンブラーに比べてロッキングバーが合う確率は２分の１となり、その分ピッキングが２倍難しくなり、鍵違い数も増やすことができる。
【００１１】
図１６の回転軸軸芯をシリンダー軸に設けたものでは、合鍵の鍵差込み穴（３）位置がシリンダー軸から離れた位置となる事で、合鍵を回す時に合鍵が回転軸から離れて回り、合鍵を回しにくいとう問題がある。
やはり合鍵はシリンダーの中心であるシリンダー軸にある事が望ましい。
しかし合鍵位置をシリンダー軸に設けようとするとタンブラーの回転軸と重なり、タンブラーの回転軸をシリンダー軸に設ける事ができない。
【００１２】
そこで、タンブラーの回転軸軸芯がシリンダー軸にありながらタンブラーの軸を持たないシリンダー構造を考えたのが請求項３記載のシリンダーである。図１〜図１２で示したシリンダーである。シリンダー軸（２５）位置にある鍵差込み穴（３）に差し込んだ鍵の鍵軸（６）がタンブラー（１８）の回転軸となるものである。
鍵をシリンダーに差し込んだ時に、鍵軸がタンブラーの軸となる事でタンブラーに軸が無くてもタンブラーを安定して回転運動させる事ができる。
【００１３】
このタンブラー軸を持たないシリンダーにピッキングを仕掛けても、タンブラーは回転軸が無い事で動きが悪く、ピッキングし難い。
もっとも、ピッキングで回したタンブラーの定位置への戻りも悪くなる可能性があり、タンブラーが定位置に戻らないと次に合鍵が入らなくなる。
このタンブラーが定位置へ戻り易い仕組みや材質が解決できない場合は、解決するまでの間別の構造で解決しなければならない。
【００１４】
タンブラーに回転軸が無いこと。合鍵位置をシリンダー軸位置にする必要があること。この２点を解決しなければならない。
そこで考えたのが請求項４記載のシリンダー構造であり、これを図１３に示した。タンブラー軸の回転軸軸芯（２８）をシリンダー軸に設けるとともに、その回転軸軸芯（２８）の中に鍵軸（６）を受ける鍵軸受け穴（２０）を設けたものである。
【００１５】
タンブラー（１８）は回転軸軸芯（２８）に固定せず、合鍵の抜き差しによって回転軸軸芯の周囲を回転する。合鍵を抜いた状態でも回転軸軸芯によってタンブラーが回転して定位置に戻り易くなる。
【００１６】
これらの請求項１、３、４記載のシリンダー構造では、従来の合鍵に設けたキザミ状の山や谷ではタンブラーを動かす事ができない。
合鍵を抜き差しするだけでこのタンブラーを動かす為の鍵形状も考えなければならない。
図１７Dで示したシリンダーの合鍵がタンブラー（６２）を動かす力は、シリンダー軸の中心から外へ向かって直線的に押すだけである。このような力の掛け方をする鍵形状では、タンブラーの回転軸軸芯が鍵の回転軸と重複する請求項３、４記載のシリンダーには使えない。
【００１７】
それを解決するのが請求項２記載のシリンダー構造である。
請求項２記載のシリンダー構造の仕組みを図１、５、６、７、８、９、１１、１２に基づいて説明する。
図１で示したように、鍵軸（６）には鍵の抜き差し方向にうねるようにトルク掛け溝（７）かトルク掛け山を設ける。この溝や山が図５で示したタンブラーに設けたトルク受け山（２１）やトルク受け溝と噛み合う事で、合鍵を抜き差しした時にうねりの幅に合わせてタンブラーが回転する。
鍵に設けるトルク掛け溝や山のうねりについては、鍵の先端にはうねりを設けない事で、合鍵をシリンダーに差し込む時の合鍵の溝や山とタンブラーの山や溝が自然に噛み合う事ができる。
【００１８】
図５、６、７で、合鍵の抜き差しによってタンブラー（１８）を回す仕組みを説明する。
図５が鍵を抜いた状態である。タンブラーは定位位置にあり、ロッキングバー（１０）はロッキングバー受け溝（２２）と離れており、内筒（２）を回す事はできない。
図６が合鍵を差した状態を示す。鍵軸（６）に設けたトルク掛け溝（７）がタンブラーのトルク受け山（２１）と噛み合い、トルク掛け溝のうねりの幅だけタンブラー（１８）を右方向へ回し、タンブラーに設けたロッキングバー受け溝（２２）がロッキングバー（１０）の位置に合った事を示す。
この状態で内筒を回す事ができる。
図７が合鍵を９０度回した状態を示す。
【００１９】
シリンダーに鍵を差し込む時に合鍵の位置が振れたのでは、微妙なタンブラーの回転をさせる事ができない。その為に図３で示した内筒（２）の正面側の鍵差込み穴（３）と、差し込んだ合鍵の鍵軸（６）との振れを無くす為の仕組みを設ける必要がある。
それは図１や図３のキーガイド溝（８）とキーガイド山（９）のようにすれば良い。
【００２０】
合鍵のトルク掛け溝や山に対するタンブラーのトルク受け山や溝の組み合わせ及び、鍵差込み穴に対する鍵軸の組み合わせを示す例が、図１１、１２である。
合鍵をまっすぐ抜き差しするだけでタンブラーが鍵軸の周囲の回転を可能にするものである。
【００２１】
図１７Dで示した従来の回転式のタンブラーでは、個々のタンブラー（６２）は合鍵を差し込んだ時に、合鍵によって押される方向に一方向のみの回転である。
本発明のシリンダー構造では、個々のタンブラーが左右両方向への回転が可能である。
その請求項５記載のシリンダー構造と仕組みを図１１、１２、１３に基づいて説明する。
図１１はタンブラー（１８）のトルク受け山（２１）と鍵軸（６）のトルク掛け溝（７）が噛み合ってタンブラーを回転させる。鍵軸のトルク掛け溝のうねりを左方向にうねらせればタンブラーは左方向に回転し、右方向にうねらせれば右方向に回転する。
図１２はタンブラー（１８）のトルク受け溝（２７）と、鍵軸のトルク掛け山（２６）が噛み合ってタンブラーを回転させる。鍵軸のトルク掛け山の左右へのうねりによってタンブラーは左右に回転する。
図１３はタンブラー（１８）に回転軸軸芯（２８）を持つもので、タンブラーの左右への回転は図１２と同じ仕組みである。
【００２２】
この個々のタンブラーを合鍵の抜き差しによって右方向でも左方向でもどちらへも自由に回転させる事が可能なのは、タンブラーの回転軸軸芯をシリンダー軸に設けた事と、合鍵をシリンダー軸位置に差し込む事でより簡単に実現できたものである。合鍵をシリンダー軸に差し込み、合鍵のトルク掛け溝や山によってタンブラーを動かす事でより簡単に実現できたものである。
【００２３】
請求項１、２、３、４、５記載のシリンダーのロック機構はロッキングバー方式としている。それが請求項６記載のロッキングバーを持つシリンダー構造である。
図２、５、１３がそのシリンダー構造を示す。
ロッキングバーの仕組みは、美和ロック社製のロータリーディスクシリンダーであるRXシリンダーで２０年程以前に実用化されており、説明は省略する。
【００２４】
請求項７記載の可変機構を設けたシリンダー構造を図１４、１５に基づいて説明する。
内筒（２）のロッキングバー（１０）の周囲を内筒から分離してロッキングバーガイド（３０）とする。ロッキングバーガイドは内筒に移動可能に組み付ける。
タンブラーのロッキングバー受け溝（３４）周囲をタンブラー（１８）から分離してアジャスター（３２）とし、タンブラーとアジャスターはギア（３１）（３３）で組み合わせる。
外筒（１）の内周には、ロッキングバーが１８０度回った時にロッキングバーガイド（３０）が入り込める可変溝（２９）を設ける。
ちなみに、本願請求項７記載の発明は、本願出願人が別に出願した特願２００５−１３７９７７の請求項３において記載された可変機構を本願請求項１、２、３、４、５、６記載のシリンダーに組み入れたものということができる。
【００２５】
可変機能の仕組みを図１４に基づいて説明する。  
図１４Ａが合鍵を抜いた状態の定位を示す。この位置ではロッキングバー受け溝（３４）の位置がロッキングバー（１０）と合っておらず、ロッキングバーが外筒（１）と内筒（２）の間にクサビとなって内筒を回す事ができない。
【００２６】
図１４Ｂが合鍵を差した状態を示す。合鍵のトルク掛け溝（７）がタンブラー（１８）のトルク受け山（２１）と噛み合ってトルク掛け溝がうねりの幅だけタンブラーを回転させ、タンブラーにギアで組み合わせたアジャスター（３２）のロッキングバー受け溝（３４）の位置をロッキングバーに合わせたものである。この状態で合鍵を回すと内筒が回転する事ができる。
図１４Ｃが合鍵を９０度回し、内筒が９０度回った事を示す。ロッキングバー（１０）がロッキングバー受け溝（３４）に入れる事で外筒と内筒間のクサビ状が解け、内筒が回る。
【００２７】
図１４Ｄが合鍵を１８０度回したものである。内筒が１８０度回って内筒に組み合わせたロッキングバーガイド（３０）が可変溝（２９）に入り、ロッキングバーガイドに合わせてアジャスター（３２）が動き、アジャスターはロッキングバーガイドが可変溝に入った寸法分タンブラー（１８）から離れる。
【００２８】
図１４Ｅが合鍵を１８０度回した位置で合鍵を抜いた状態を示す。
タンブラー（１８）はタンブラーバネ（２３）によって内筒を１８０度回した状態での定位に戻るが、アジャスター（３２）はロッキンバーガイド（３０）とロッキングバー（１０）で連結した状態の為に動かない。
【００２９】
図１４Ｆが図１４Ｅの状態のシリンダーに新しい別の新鍵（３５）を差した状態を示す。
タンブラー（１８）は新鍵のトルク掛け溝や山のうねりの幅だけ回転する。
図１４Ｇが次に新鍵を１８０度回して定位位置に戻した事を示す。新鍵を回す事で内筒が回り、ロッキングバーガイド（３０）が可変溝（２９）から離れ、シリンダー軸方向に可変溝の深さ分動き、アジャスターが合わせて動き、アジャスターがタンブラーとギアで連結する。
この時の連結は新鍵のうねりの幅に合った位置で連結する。
【００３０】
図１４Ｈが新鍵を定位位置で抜いた状態を示す。
新鍵を抜いてもタンブラー（１８）とアジャスター（３２）の連結位置は変わらず、シリンダーの合鍵は以前の合鍵が使えなくなり、新鍵が合鍵に変わる。
【００３１】
特許第３３７８６４５は図１７Ｃで示したディスクシリンダーのタンブラーを合鍵のキザミの深さに合わせて組み合えるものである。
特開平７−２０７９９５は合鍵の回転軸とは異なる軸芯で、シリンダー軸から離れた回転軸軸芯の２個の回転するタンブラーを有し、両タンブラーをギアで連結したもので、内１個のタンブラーを合鍵のキザミの深さに合わせて両タンブラーのギアを組み変えるものである。
これは図１７Ｄで示した従来のロータリーディスクシリンダーの原理を使ったものである。
本発明の可変機構は、合鍵や内筒の回転軸と同一軸芯に組み付けたタンブラーを持つシリンダーに対する可変機構で、タンブラーをタンブラーとアジャスターに分け、合鍵のトルク掛け溝や山のうねりの角度にタンブラーを合わせ、そのタンブラーとアジャスターの位置を変えてギアで連結するものである。
【発明の効果】
【００３２】
０００６で示したことが現在のシリンダーに求められる事であり、将来のシリンダーに求められる事でもある。
本発明のシリンダー構造においては、タンブラーの回転軸をシリンダー軸とすることによって、タンブラーの回転範囲が３６０度の自由回転が可能となる。そのため、３６０度の中の自由に設定した位置にロッキングバー位置を決め、タンブラーバネ位置を決めることができる。
設定したら、その設定した位置の左右側のある程度の回転範囲がそのシリンダーのタンブラー回転角度となる。
この事により、将来シリンダーに新しい要求が有った場合の対策が講じ易くなる。
【００３３】
本発明のシリンダー構造では、個々のタンブラーが左右両方向に回転することができる。
タンブラー回転軸がシリンダー軸上に無い従来のシリンダーの、タンブラーの回転が片一方回転である場合と比べてピッキングが２倍難しくなる。タンブラーをどちら側に回せば良いかわからない為である。
また、タンブラーを道具で押す動作より、回す動作の方がより難しいので、その分も併せてピッキングが難しくなる。
タンブラーが左右回転となった分、片一方回転と比べて鍵違い数も多く確保でき、将来要求されるであろう大規模なキーシステムプランにも対応し易い。
図１７Ｂで示したシリンダーのように、複雑で量産しにくいシリンダーと比べて本発明のシリンダー構造は量産に向いた構造であり、シリンダーの機能向上を図る上でも構造を複雑にしないで対応できるシリンダー構造である。
【発明を実施するための最良の形態】
【００３４】
錠のシリンダーに於いて、回転式タンブラーの回転軸を、シリンダー軸から離れた位置に設けた従来のシリンダーをピストン式エンジンにたとえるとすれば、本発明のようにタンブラー軸がシリンダー軸にあるエンジンはロータリーエンジンということになるだろう。要するに、エンジンの回転は同じでもピストンであるタンブラーの回転が違う。
請求項１記載の、タンブラーがシリンダー軸を回転軸として回転運動をするシリンダー構造を示すのが図１６、５、１３、１４のシリンダーである。
図１６のシリンダーはタンブラーの回転軸がシリンダー軸上にあるが合鍵の位置がシリンダー軸から離れている。このようなシリンダーでは従来型のキザミを持つ合鍵を使う事ができる。
図５、１３、１４のシリンダーはタンブラーの回転軸と合鍵の位置がシリンダー軸上に重複している。このようなシリンダーでは従来型のキザミを持つ合鍵は使えない。
【００３５】
合鍵のキザミの深さでタンブラーを押し、タンブラーを動かす従来型シリンダーとは異なり、本発明の請求項２記載のシリンダー構造は、タンブラー軸がシリンダー軸上にあるタンブラーに対して、合鍵の鍵軸にうねるように設けたトルク掛け溝や山でタンブラーに直接回転トルクを掛け、うねりの角度分だけタンブラーを回すものである。
図１、図５〜９、図１１、１２、図１４で示したものである。
【００３６】
タンブラーに回転軸軸芯を持たず、シリンダーに差し込んだ鍵の鍵軸がタンブラーの回転軸軸芯となる、請求項３記載のシリンダーを示すのが図１〜１２で示したものである。
合鍵の鍵軸をタンブラー軸とする事で、タンブラーの回転軸が無くてもタンブラーの回転をスムーズにしたものである。
【００３７】
請求項４記載の、タンブラー軸である回転軸軸芯と鍵の差し込む位置をシリンダー軸に重複させた事を示すのが図１３で示したものである。
タンブラーの回転軸軸芯の中に鍵を差し込む事でタンブラー軸と合鍵の位置を重複させ、タンブラー軸がシリンダー軸に有りながら合鍵もシリンダー軸に差し込む事を可能にしたものである。
【００３８】
本発明のシリンダー構造は、タンブラーの回転軸をシリンダー軸に設ける事で、鍵をシリンダーに差し込んだ時に、１個のタンブラーを右でも左でもどちらの方向へも回転させる事がし易くなったものである。それが請求項５記載のシリンダー構造である。
図１〜１６に示した構造がそれである。
【００３９】
タンブラーの回転軸をシリンダー軸に設けた本発明のシリンダーで、合鍵を差し込んだ時に内筒の回転を可能にし、他の鍵や鍵を差し込まない状態では内筒の回転を止める働きをする手段として、外筒と内筒間をクサビ状に固定する方法にロッキングバー方式を使ったのが請求項６記載のシリンダー機構である。
図１〜１６に示した構造がそれである。
【００４０】
タンブラーの回転軸をシリンダー軸に設けた本発明のシリンダーに、シリンダーの合鍵コードを変える可変機能を設けたのが請求項７記載のシリンダー構造である。その構造と仕組みを説明するのが図１４である。
【００４１】
本発明のようにタンブラーの回転軸をシリンダー軸としたシリンダーでは、合鍵を差し込んだ時の合鍵のうねりによって何度でもタンブラーを回転させる事ができる。必要であれば、うねりをらせん状にして何回でも回転させる事ができる。その時にタンブラーに設けるロッキングバー受け溝位置はタンブラーの全周３６０度のどこにでも設定が可能である。
【００４２】
タンブラーと内筒との位置関係を利用する事や、タンブラーと外筒との位置関係を利用する事も、タンブラーの回転可能範囲である３６０度のどの位置でも利用する事が可能であり、将来シリンダーに複雑な機能の要求が有ったときにその位置関係が利用できる。
【図面の簡単な説明】
【００４３】
【図１】発明のシリンダー構造を持つシリンダーの斜視図である。
【図２】図１のＡＡ断面を示す。
【図３】図２のＢ位置輪切り断面を示す。
【図４】図２のＣ位置輪切り断面を示す。
【図５】図２のＤ位置輪切り断面で、合鍵を抜いた定位状態を示す。
【図６】図５の、合鍵を差した状態の定位を示す。
【図７】図６の、合鍵を９０度回した状態を示す。
【図８】図２Ｅ位置輪切り断面で、合鍵を抜いた定位状態を示す。
【図９】図２E位置の合鍵鍵軸の断面形状を示す。
【図１０】Ａ．図５の分解図で、外筒を示す。  Ｂ．図５の分解図で、内筒とロッキングバーを示す。  Ｃ．図５の分解図で、タンブラーを示す。    Ｄ．図５位置の合鍵の鍵軸を示す。
【図１１】内筒の鍵差し込み穴、タンブラーの鍵軸受け穴、鍵軸の断面形状の１例を示す。
【図１２】内筒の鍵差し込み穴、タンブラーの鍵軸受け穴、鍵軸の断面形状の１例を示す。
【図１３】Ａ．請求項４記載のシリンダー構造の図２Ｂ位置断面にあたり、合鍵を抜いた状態を示す。  Ｂ．図２D位置断面にあたり、合鍵を抜いた状態を示す。  Ｃ．図２Ｂ位置断面にあたり、合鍵を差した状態を示す。    Ｄ．図２D位置断面にあたり、合鍵を差した状態を示す。
【図１４】Ａ．請求項７記載のシリンダー構造の図２D位置断面にあたり、合鍵を抜いた状態を示す。  Ｂ．合鍵を差した状態を示す。  Ｃ．合鍵を９０度回した状態を示す。    Ｄ．合鍵を１８０度回した状態を示す。    Ｅ．合鍵を１８０度回した位置で合鍵を抜いた状態を示す。  Ｆ．次に新鍵を差した状態を示す。  Ｇ．新鍵を１８０度回して定位に戻した状態を示す。  Ｈ．新鍵を抜き、新鍵が合鍵に変わった事を示す。
【図１５】Ａ．図１４の分解図で、外筒を示す。  Ｂ．内筒、ロッキングバーガイド、ロッキングバーを示す。  Ｃ．タンブラーとアジャスターを示す。
【図１６】最初に考えた請求項１記載のシリンダー構造で、図２Ｄ位置断面にあたる。
【図１７】Ａ．従来の一般的なピンシリンダーの断面形状を示す。  Ｂ．従来の複雑なピンシリンダーの断面形状を示す。  Ｃ．従来のディスクシリンダーやウエハーシリンダーの断面形状を示す。Ｄ．従来のロータリーディスクシリンダーの断面形状を示す。
【符号の説明】
【００４４】
１        外筒
２        内筒
３        鍵差込み穴
４        鍵ツマミ
５        力板
６        鍵軸
７        トルク掛け溝
８        キーガイド溝
９        キーガイド山
１０      ロッキングバー
１１      ロッキングバーバネ
１２      クリックボール
１３      テールピース
１４      底板
１５      抜け止め
１６      鍵軸外形位置
１７      仕切り
１８      タンブラー
１９      力板受け溝
２０      鍵軸受け穴
２１      トルク受け山
２２      ロッキングバー受け溝
２３      タンブラーバネ
２４      定位溝
２５      シリンダー軸
２６      トルク掛け山
２７      トルク受け溝
２８      回転軸軸芯
２９      可変溝
３０      ロッキングバーガイド
３１      ギア
３２      アジャスター
３３      ギア
３４      ロッキングバー受け溝
３５      新鍵
３６      アジャスターバネ
３７      ロッキングバー収納溝
５１      外筒
５２      内筒
５３      鍵軸受け穴
５４      ガイドピン
５５      ドライバーピン
５６      シリンダーピンバネ
５７      シヤーライン
５８      爪受け溝
５９      爪
６０      シリンダーコマ
６１      シリンダーコマバネ
６２      タンブラー
６３      タンブラーバネ
６４      タンブラー回転軸軸芯
６５      ロッキングバー受け溝
６６      ロッキングバー
６７      鍵軸受け穴
６８      鍵差し込み穴
【図１】
2006316439.tif 000003
【図２】
2006316439.tif 000004
【図３】
2006316439.tif 000005
【図４】
2006316439.tif 000006
【図５】
2006316439.tif 000007
【図６】
2006316439.tif 000008
【図７】
2006316439.tif 000009
【図８】
2006316439.tif 000010
【図９】
2006316439.tif 000011
【図１０】
2006316439.tif 000012
【図１１】
2006316439.tif 000013
【図１２】
2006316439.tif 000014
【図１３】
2006316439.tif 000015
【図１４】
2006316439.tif 000016
【図１５】
2006316439.tif 000017
【図１６】
2006316439.tif 000018
【図１７】
2006316439.tif 000019